(57)【要約】      （修正有）【課題】頭皮を癒しながら、毛髪を滑らかにすることができるヘア・スムージングツールを提供する。【解決手段】ヘア・スムージングツールは、、櫛、毛材、又は毛髪を滑らかにするための他の適切な構造として構成される。支持基部１１と、支持基部上又はその上のカーペット構造１５と、必要に応じて毛材及びクッション部材１３を含む。毛材及びクッション部材は、存在する場合、支持基部の第１の面１１１に形成される。カーペット構造は、多数の小さなループポストから成るループ構造、又は多数の小さなフックポストから成るフック構造であり、ループ構造又はフック構造が毛髪に浸透するときに、毛髪のキューティクルが更に滑らかにされ、ちぢれを除去することができる。【選択図】図４Ａ
2019141560.tif 000002
【特許請求の範囲】
【請求項１】
ヘア・スムージングツールであって、
使用者が毛髪の上を移動するために保持する支持基部と、
前記支持基部が少なくとも部分的に重なり、前記支持基部が毛髪の上を移動するときに、毛髪に入り込む複数のミニポストを含むカーペット構造を更に備え、前記ミニポストは、毛髪と相互作用する湾曲部分を含み、それにより毛髪を滑らかにすることを特徴とするヘア・スムージングツール。
【請求項２】
前記支持基部は、硬質材料で作られている、又は前記支持基部は、軟質材料で作られており、硬質物体に取付け可能及び取外し可能であることを特徴とする請求項１に記載のヘア・スムージングツール。
【請求項３】
前記カーペット構造は、フックアンドループファスナのフック構造又はループ構造層により実現される、又は前記フック構造層の一部及び前記ループ構造層の一部でパッチされていることを特徴とする請求項１又は請求項２に記載のヘア・スムージングツール。
【請求項４】
前記カーペット構造は、可撓性基部の反対側のループポスト及びフックポストを夫々含み、前記可撓性基部は、ループ状の前記可撓性基部の反対側の端部で、ループポストとフックポストとの係合により、前記支持基部上にループ状に巻かれて固定され、又は
前記ヘア・スムージングツールは、前記カーペット構造の上に配置されて、可撓性基部の反対側に、ループポスト及び／又はフックポストを含む付加的なカーペット構造を更に備え、前記カーペット構造及び前記付加的なカーペット構造の反対側の面は、フックアンドループファスナを形成することを特徴とする請求項１又は請求項２に記載のヘア・スムージングツール。
【請求項５】
前記ミニポストは、特定のパターンに割り当てられた複数のループポスト及び／又はフックポストを含むことを特徴とする請求項１又は請求項２に記載のヘア・スムージングツール。
【請求項６】
前記支持基部から突出し、前記カーペット構造に入り込む複数の毛材と、又は
前記支持基部から突出する複数の毛材と、前記毛材の少なくとも一部から突出する複数のループポスト及び／又はフックポストと、又は
前記支持基部の第１の部分から突出する複数の毛材を含み、前記カーペット構造は、前記支持基部の毛材が設けられていない第２の部分に設けられることを特徴とする請求項１乃至請求項５のいずれか一項に記載のヘア・スムージングツール。
【請求項７】
前記支持基部上に配置され、前記カーペット構造上に固定されたクッション部材を更に備え、前記クッション部材と前記支持基部との間には、より触感を良くし、毛髪により密着するための緩衝手段が存在することを特徴とする請求項１乃至請求項６のいずれか一項に記載のヘア・スムージングツール。
【請求項８】
前記カーペット構造を介して毛髪に熱を散逸させるために、前記カーペット構造と前記支持基部との間に配置されたヒーター材料を更に含むことを特徴とする請求項１乃至請求項７のいずれか一項に記載のヘア・スムージングツール。
【発明の詳細な説明】
【技術分野】
【０００１】
本発明は、毛髪を滑らかにするツール、例えば、櫛又はブラシといったヘア・スムージングツールに関し、より詳細には、毛髪をほぐし、輝かせるため、カーペット構造を含むヘア・スムージングツールに関する。
【背景技術】
【０００２】
毛髪を滑らかにするための様々な櫛及びブラシが市販されている。櫛及びブラシは、形状が異なり、異なる方法で製造されているにもかかわらず、両者は支持基部と複数の突起を有する点で共通しており、例えば、歯又は毛材が支持基部から突出している。一般に、櫛の歯は、支持基部と同じ材料で一体的に形成されている。一方、ブラシの毛材は、支持基部と一体的に形成されてもよく、支持基部上に固定されてもよく、又は支持基部上に取り外し可能に取り付けられてもよい。異なる目的のために、毛髪を滑らかにする効果を増強するため、又は追加の機能のために、特別な櫛又はブラシのデザインが開発されている。ブラシを例にとると、図１Ａに例示されるクッションブラシ、又は図１Ｂに例示されるパドルブラシは、支持基部１１と、支持基部１１から突出した複数の毛材１２と、を有する。毛材１２は、支持基部１１と一体的に形成されてもよく、支持基部１１上に取り付けられてもよい。例えば、毛材１２は、クッション部材１３の孔に挿通されて固定され、クッション部材１３は、支持基部１１の一面１１１において支持基部１１に係合する。クッション部材１３は、例えば、スナッピング又は単に接着することによって、支持基部１１に組み付けることができる。
【０００３】
スナッピング工程において、クッション部材１３の縁は、図２に示すように、スナッピング部材１４によって支持基部１１上に固定される。
【０００４】
あるいは、クッション部材１３の縁は、支持基部１１の環状溝１１０内に変形可能に挿入され、自動的に元の形状に復元して溝に係合し、図３に示されるように、クッション部材１３を支持基部１１上に固定する。
【０００５】
従来のブラシの毛材は、一般的に、金属材料又はプラスチック材料で作られている。 金属製の毛材は、使用者の頭皮を傷つけることがある一方で、プラスチック製の毛材では、静電気に悩まされることがあり、毛髪を滑らかにするのが不安になる。一方、従来の櫛では、一般的に、まばらな歯によって、毛髪を滑らかにする効果が不満足となることに悩まされる。
【発明の概要】
【発明が解決しようとする課題】
【０００６】
従って、頭皮を癒しながら、毛髪を滑らかにすることができるヘア・スムージングツールを開発することが望ましい。
【課題を解決するための手段】
【０００７】
本発明は、毛髪の上を移動するためにユーザによって保持される支持基部と、前記支持基部が毛髪上を移動するときに、毛髪に入り込み、前記支持基部から突出する複数のミニポストを含むカーペット構造と、を備えるヘア・スムージングツールを提供する。ミニポストは、例えば、ループポスト及び／又はフックポストである。
【０００８】
本発明は、毛髪の上を移動するためにユーザによって保持される支持基部と、前記支持基部が毛髪の上を移動するときに、毛髪に入り込み、前記支持基部から突出する複数の毛材と、前記支持基部が毛髪の上を移動するときに、少なくとも前記支持基部及び／又は前記毛材を部分的に超えて毛髪に入り込む複数のミニポストを含むカーペット構造と、を備えるヘア・スムージングツールを更に提供する。
【０００９】
好ましくは、ミニポスト、例えば、ループポスト及び／又はフックポストは、毛髪及び頭皮を傷つけることなく、毛髪をほぐし、毛髪を滑らかにするのに十分な硬さを有する軟質材料で作成されている。
【図面の簡単な説明】
【００１０】
本発明の上記内容は、以下の詳細な説明及び添付図面を参照することにより、当業者にとってより明確に理解されよう。
【００１１】
【図１Ａ】従来のヘアブラシを示す概略図である。
【図１Ｂ】従来のヘアブラシを示す概略図である。
【００１２】
【図２】クッション部材が支持基部にスナップ嵌めされたヘアブラシを示す概略図。
【００１３】
【図３】支持基部の環状溝にクッション材の縁が挿入されたヘアブラシの部分拡大図。
【００１４】
【図４Ａ】本発明の一実施形態に係るヘア・スムージングツールを示す概略図。
【００１５】
【図４Ｂ】本発明の他の実施形態に係るヘア・スムージングツールを示す概略図。
【００１６】
【図４Ｃ】本発明の更なる実施形態に係るヘア・スムージングツールを示す概略図。
【００１７】
【図４Ｄ】本発明の更に他の実施形態に係るヘア・スムージングツールを示す概略図。
【００１８】
【図５】本発明に係るヘア・スムージングツールに使用されるカーペット構造の一例を示す概略図。
【００１９】
【図６】本発明に係るヘア・スムージングツールの支持基部に対するカーペット構造の組立例を示す模式図。
【００２０】
【図７】本発明に係るカーペット構造が使用可能な絡み取りブラシを示す概略図。
【００２１】
【図８】本発&#8203;&#8203;明に係るカーペット構造が使用可能な金属サーマルラウンドブラシを示す概略図。
【００２２】
【図９Ａ】本発明の更に他の実施形態に係るヘア・スムージングツールを示す概略図。
【００２３】
【図９Ｂ】本発明の更に他の実施形態に係るヘア・スムージングツールを示す概略図。
【００２４】
【図１０】本発明の更に他の実施形態に係るヘア・スムージングツールを示す概略図。
【００２５】
【図１１Ａ】本発明の更に他の実施形態に係るヘア・スムージングツールに用いられる加熱部材の例を示す概略図。
【図１１Ｂ】本発明の更に他の実施形態に係るヘア・スムージングツールに用いられる加熱部材の例を示す概略図。
【００２６】
【図１２】本発明の更に他の実施形態に係るヘア・スムージングツールの部分拡大図を示す模式図。
【発明を実施するための形態】
【００２７】
本発明に係るヘア・スムージングツールは、例えば、櫛、毛材、又は毛髪を滑らかにするための他の適切な構造として構成される。本発明の一実施形態によれば、ヘア・スムージングツールは、例えば、図１Ａ又は図１Ｂに示されるように、従来のヘアブラシに一般的に含まれるものと同様の支持基部１１と、毛材１２と、クッション部材１３と、を含む。毛材１２及びクッション部材１３は、支持基部１１の第１の面１１１上に形成されている。ヘア・スムージングツールは、支持基部１１（図４Ａ、４Ｂ）の第１の面１１１又は支持基部１１（図４Ｃ）の反対側の第２の面１１２のいずれか、又はその両方にカーペット構造１５を更に含む。
【００２８】
図４Ａに示される実施形態では、毛材１２は、クッション部材１３に形成されており、クッション部材１３は、適切な係合手段又は接着手段を介して、支持基部１１に設けられている。例えば、クッション部材１３を支持基部１１に係合させるために、図２又は３で参照される上記例示のスナッピング工程が用いられる。もっとも、クッション部材１３を支持基部１１上に単に貼り付けることもできる。クッション部材１３の支持基部１１への取り付け方法は、特に限られないが、クッション部材１３は、任意であるが、好ましくは、ある材質で作成され、より触感が良くなり、毛髪に密着するため、クッション部材１３と支持基部１１との間の緩衝手段が介在する。緩衝手段は、エアギャップであってもよい。あるいは、例えば、クッション部材を浮上させる目的を達成するために、緩衝手段としてスポンジ又はゴム片といった弾性材料を使用することができる。あるいは、クッション部材１３自体が、特別に設計された材料、厚さ及び／又は形状に寄与する緩衝作用を有してもよく、支持基部１１上に直接的に接着されてもよい。
【００２９】
一実施形態におけるカーペット構造１５は、平面シートであり、例えば、同じスナッピング工程でクッション部材１３と共に支持基部１１上に固定することができる。例えば、カーペット構造１５は、毛材１２が入り込むための複数の穴１５１を有し、それにより、カーペット構造１５とクッション部材１３とを組み合わせる。そして、カーペット構造１５の縁は、支持基部１１上にスナップ留めされたり、支持基部１１の溝に挿入されたり、クッション部材１３と共に支持基部１１に接着されたりする。別の実施形態では、カーペット構造１５は、図４Ｂに示すように、毛材１２に隣接する行及び又は列の間に割り当てられた複数のカーペットストリップ１５から構成される。カーペット構造を構成するために、この実施形態で例示されるカーペットストリップの行及び／又は列にかかわらず、カーペット構造は、複数の小部分として、構成される又は分割されてもよく、交差線、同心円、渦巻き又は波打ち等のようにされ、又はブリッスルの分布に応じて変化する特定の位置で提供される。
【００３０】
あるいは、図４Ｃに示されるように、クッション部材１３が省略され、毛材１２が支持基部１１と一体に形成されてもよい。この実施形態において、カーペット構造１５は、支持基部１１と直接的に一体化されてもよい。あるいは、カーペット構造１５は、可撓性基部１５０と一体化されてもよく、この可撓性基部１５０は、複数の穴１５１を有し、毛材１２が穴に入り込むことによって支持基部１１上に固定される。カーペット構造１５は、例えば、後述する接着剤又は他の適切な手段によって、支持基部１１上に固定される。可撓性基部１５０は、組み立て後に支持基部１１と連続する平坦な材料片であってもよい。あるいは、可撓性基部１５０は、クッション効果を提供するように、組立後の中間で支持基部１１の上に特定の距離にある材料の凸状片であってもよい。
【００３１】
上記の実施形態では、カーペット構造１５は、多数の小さなループポスト（図４Ａ）から成るループ構造、又は多数の小さなフックポスト（図４Ｃ）から成るフック構造であり、可撓性基部１５０上のＶｅｌｃｒｏ（登録商標）フックアンドループファスナのループポスト及びフックポストを含む。ループ構造及びフック構造の性質により、ループ構造又はフック構造が毛髪に浸透するときに、毛髪のキューティクルが更に滑らかにされ、ちぢれを除去することができる。一方、毛髪は、密なミニループ又はフック構造でコームされた後に、より輝かく。従って、比較的柔らかい材料で作られた毛材及び／又は本数を削減させた毛材を使用することができる。Ｖｅｌｃｒｏ（登録商標）フックアンドループファスナを例として用いたが、本発明によるヘア・スムージングツールのカーペット構造として、同様のスムージング性能を有する他の類似の構造又は他のミニ構造を代替的に使用してもよい。更に、カーペット構造１５の適切な材料を選択し、且つ柔らかさを調節することによって、カーペット構造は、毛髪をコームしながら、頭皮にマッサージ機能を更に行うことができる。
【００３２】
別の実施形態では、カーペット構造１５は、支持基部１１に取り付けられ、毛材が示されていない支持基部１１の表面上に部分的に重なる。より具体的には、毛材１２は、支持基部１１の第１の部分に配置され、カーペット構造１５は、支持基部１１の第２の部分に設けられる。カーペット構造１５は、複数のループポスト及び／又はフックポストを含み、それらは、支持基部が毛髪上を移動するときに、毛髪に入り込むために支持基部から突出している。図４Ｄに示すパドルブラシを一例として挙げると、毛材１２は、第１の部分、例えば、第１の面１１１に設けられ、また、カーペット構造１５は、第２の部分、例えば、第２の面１１２に設けられ、夫々所望の結果に応じて使用されても、使用されなくてもよい。あるいは、カーペット構造１５は、毛材１２を有する第１の面１１１と、毛材を有さない第２の面１１２との両方に適用することができる。
【００３３】
別の実施形態では、カーペット構造１５は、複数のフック構造／ループ構造の層から成る多層構造を有する。例えば、図５に示すように、カーペット構造１５は、フック構造層１５１と、フック構造層１５１を覆うループ構造層１５２と、ループ構造層１５２を覆う別のフック及び／又はループ構造１５３とを含み、ループ構造層１５２及びフック及び／又はループ構造１５３は、可撓性基部１５０の反対の表面上に形成される。フック構造層１５１は、クッション部材１３又は支持基部１１と一体化されているか（仮にクッション部材１３が省略されている場合）、上述のようにして、別の可撓性基部１５０を介して支持基部１１又はクッション部材１３に接着又は係合する。ループ構造層１５２は、フック構造層１５１に面しているので、Ｖｅｌｃｒｏ（登録商標）フックアンドループファスナのように、可撓性基部１５０がフック構造層１５１に着脱可能である。フック構造、ループ構造又はその両方から成るフック及び／又はループ構造１５３は、ループ構造層１５２の反対に配置され、上述したカーペット構造１５と同様に、毛髪を滑らかにする機能を有する。この実施形態は、洗髪又は交換のために毛髪が蓄積される可撓性基部１５０を、容易に引き離して、ブラシを簡便に洗浄する点において優れている。３層以上の層で形成されたカーペット構造が、実用上必要とされることが理解されよう。
【００３４】
上述したように、カーペット構造１５は、スナップ、フローティング及び接着以外の方法で支持基部１１又はクッション部材１３上に固定することができる。一例は、可撓性基部１５０の反対側に配置されたフック構造及びループ構造を含む広範なカーペット構造を使用することである。フック構造サイド及びループ構造サイドが、例えば、支持基部１１の背面１１２に接続されると、図６に示すように、カーペット構造１５を固定するために、フック構造及びループ構造が互いに係合する。
【００３５】
上述したように、本発明に係るカーペット構造は、任意の適切なヘアコーム又はブラシスケルトンに適用することができる。例えば、カーペット構造１５は、図７に示すような、もつれほぐしブラシや、図８に示すような金属サーマルラウンドブラシ、又は通気ブラシ（不図示）に適用することができる。上述したように、本発明に係るカーペット構造は、図９Ａ又は９Ｂ示すように、毛材の無い仕上げブラシにも適用することができる。図９Ａに示すように、フック／ループ構造１５は、支持基部１１のバレル１１５を取り囲む。図９Ｂに示すように、バレル１１５の周囲に支持基部１１を加えて、上面１１６及び／又は底面にフック／ループ構造１５を更に適用する。
【００３６】
また、上記支持基部１１は、硬質である必要はない。あるいは、支持基部１１は、ゴムのような柔らかい材料でできていてもよく、カーペット構造１５は、例えば、上記手段により可撓性基部１５０を介して支持基部１１と一体化することにより、支持基部１１上に毛材が有ろうが無かろうが設けることができる。カーペット構造１５を有する軟質基部１１は、図１０に示すように、適切な硬質体１６上に取り付けられ、また、硬質体１６から取り外されてもよく、これはヘア・スムージング操作を行うためのハンドル又はユーザの手である。
【００３７】
特に、ヘアスタイリングのためのヘア・スムージング性能を更に改善するために、ヘア・スムージングツールは、カーペット構造が、毛髪を滑らかにしている間に、熱を放出することが好ましい。この目的を達成するために、支持基部１１、クッション部材１３、及びカーペット構造１５は、ヘアスタイリングのための適切な温度に加熱しても損傷することなく、保温性、熱伝導性及び熱放散性を示す耐熱性材料で作成されていてもよい。セラミック、銅、アルミニウム、チタン、ホイル、鉄、鋼、炭素繊維、繊維ガラス、セラミック、粘土、マグネシウム及び金属材料が、耐熱性及び熱伝導性材料のいくつかの例である。例えば、加熱手段は、マイクロ波、オーブン、電気、蒸気、太陽、誘導、又は任意の他の適切な加熱源であってもよい。
【００３８】
あるいは、ヒーター材料２００には、図１１Ａ、１１Ｂに示すように、加熱効率を高めるために、ヒートスムージングツール内に配置した後に自発的に消散する、及び／又は加熱することができるものが、付加的に使用することができる。図１１Ａに示す実施形態では、ヒーター材料２００は、カーペット構造１５と支持基部１１又はクッション部材１３との間に配置される。図１１Ｂに示す実施形態では、ヒーター材料２００は、クッション部材１３と支持基部１１との間に配置される。好ましくは、ヒーター材料２００は、ユーザの頭皮と直接接触し得るヘア・スムージングツールの他の部分よりも高い比熱容量を有し、その結果、ヒーター材料２００は、同じ加熱期間内にヘア・スムージングツールの他の部分よりも高い温度に加熱されてもよい。これにより、使用者の頭皮を傷つけることなく、効率的に加熱を行うことができる。ヒーター材料２００は、例えば、セラミック、銅、アルミニウム、チタン、ホイル、鉄、鋼、炭素繊維、繊維ガラス、セラミック、粘土、マグネシウム及び金属材料から選択することができる。その材料には、反射性ホイル技術に適用可能なものであり、熱反射性アルミニウムフィルムで被覆された繊維ガラス布又はクロス、セラミック繊維紙、グラファイトコーティングを有するＰＴＦＥ（ポリテトラフルオロエチレン）ロープ、溶接バッキングテープ等が、本発明におけるヒーター材料２００として用いられる。
【００３９】
必要に応じて、ヘアコーム及び／又はヘアブラシの上記実施形態は、互いに組み合わせて、又は特定の目的のために他のツールと組み合わせて使用することができる。例えば、カーペット構造を有するパドルブラシと、加熱機能を有する別のパドルブラシとを連結して適切に構成し、また、複合ブラシを形成し、パドルブラシの間に毛髪を比較的通過させることによって、スムージングとスタイリングの両方の目的を同時に達成することができる。
【００４０】
上記実施形態では、カーペット構造１５は、フック構造又はループ構造のいずれかといった、均質な構成を有している。あるいは、カーペット構造１５は、例えば、フック構造部分及びループ構造部分でパッチされたハイブリッド構成を有していてもよい。
【００４１】
上記実施形態において、カーペット構造は、部分的又は全体的に、ヘアブラシ又はヘアコームの支持基部又はクッション部材に重なっている。 更なる実施形態では、カーペット構造は、代替的に又は追加的に、ヘアブラシ又はヘアコームの毛材又は歯に設けられてもよい。一体化された支持基部及び歯を備えたヘアコームを例にとる。図１２に示されるように、ミニポスト３００は、支持基部１１だけでなく、カーペット構造としての歯１２の内面にも重なっている。同様に、ミニポストは、ループポスト、フックポスト、ハイブリッドループ／フックポスト、及び／又は任意の他の適切な形状のポストであって、毛髪や頭皮を傷つけることなく柔らかい素材で作られているが、毛髪をほぐし、毛髪を滑らかにするのに十分な剛性がある。
【００４２】
添付の特許請求の範囲に記載された「毛材」という用語は、ヘアブラシの支持基部からの突出部を示すだけでなく、一般的に「歯」として知られるヘアコームの支持基部からの突出部と同等のものを示す。別の例では、添付の特許請求の範囲に記載されている「突出」という用語は、「直接的に」突出しているだけでなく、上層から突出しているといったように、「間接的に」突出していることも示す。
【図１Ａ】
2019141560.tif 000003
【図１Ｂ】
2019141560.tif 000004
【図２】
2019141560.tif 000005
【図３】
2019141560.tif 000006
【図４Ａ】
2019141560.tif 000007
【図４Ｂ】
2019141560.tif 000008
【図４Ｃ】
2019141560.tif 000009
【図４Ｄ】
2019141560.tif 000010
【図５】
2019141560.tif 000011
【図６】
2019141560.tif 000012
【図７】
2019141560.tif 000013
【図８】
2019141560.tif 000014
【図９Ａ】
2019141560.tif 000015
【図９Ｂ】
2019141560.tif 000016
【図１０】
2019141560.tif 000017
【図１１Ａ】
2019141560.tif 000018
【図１１Ｂ】
2019141560.tif 000019
【図１２】
2019141560.tif 000020
【外国語明細書】
2019141560000001.pdf